(57)【要約】      （修正有）【課題】携帯機器の保護ケースを装飾でき、装飾性を維持しつつも収納機能を備える装飾具を提供する。【解決手段】装飾具は、装飾具の裏面を形成する第１部材１１と、装飾具の表面を形成する第２部材１２と、第１部材の上に第２部材を重ねた状態で、少なくとも、第１部材及び第２部材の左端部を互いに接合すると共に、第１部材及び第２部材の右端部を互いに接合し、第２部材が第１部材と一体になるように固着することによって、第１部材と第２部材との間に形成される収容部１６と、第１部材及び第２部材の上端部を全部又は一部において互いに接合しないこと、及び、第１部材及び第２部材の下端部を全部又は一部において接合しないこと、の少なくとも一方によって形成される前記収容部の挿入口と、前記挿入口、及び、第１部材及び第２部材の下端側に形成された前記挿入口、の少なくとも一方を開状態から閉状態にすることのできる開閉部材１５と、を備える。【選択図】図２
2015139677.tif 000002
【特許請求の範囲】
【請求項１】
携帯機器の保護ケースに取り付けられる装飾具であって、
前記装飾具の裏面を形成する第１部材と、
前記装飾具の表面を形成する第２部材と、
前記第１部材の上に前記第２部材を重ねた状態で、少なくとも、前記第１部材及び前記第２部材の左端部を互いに接合すると共に、前記第１部材及び前記第２部材の右端部を互いに接合し、前記第２部材が前記第１部材と一体になるように固着することによって、前記第１部材と前記第２部材との間に形成される収容部と、
前記第１部材及び前記第２部材の上端部を全部又は一部において互いに接合しないこと、及び、前記第１部材及び前記第２部材の下端部を全部又は一部において接合しないこと、の少なくとも一方によって形成される前記収容部の挿入口と、
前記第１部材及び前記第２部材の上端部に形成された前記挿入口、及び、前記第１部材及び前記第２部材の下端部に形成された前記挿入口、の少なくとも一方を開状態から閉状態にすることのできる開閉部材と、
を備えたことを特徴とする装飾具。
【請求項２】
請求項１に記載の装飾具であって、
前記開閉部材は、
表側から裏側へ折り返された前記第２部材の折り返し部を前記第１部材に結合させることにより、前記挿入口を開状態から閉状態にし、又は、
裏側から表側へ折り返された前記第１部材の折り返し部を前記第２部材に結合させることにより、前記挿入口を開状態から閉状態にする、
ことを特徴とする装飾具。
【発明の詳細な説明】
【技術分野】
【０００１】
本発明は、装飾具に関する。
【背景技術】
【０００２】
携帯電話機のモニタ画面や操作ボタンが露出するよう被せて使用され、外観を縫いぐるみ状にした携帯電話機用の保護ケースが知られている（たとえば、特許文献１）。
【先行技術文献】
【特許文献】
【０００３】
【特許文献１】登録実用新案第３０６７７７０号公報
【発明の概要】
【発明が解決しようとする課題】
【０００４】
従来では、例えばパンダやクマを模した外観の保護ケースを携帯機器に取り付けることによって、携帯機器の装飾を楽しむことができるが、携帯機器を装飾しない状態に戻す場合には、携帯機器から保護ケースを取り外す必要があった。そのため、保護ケースを取り外したときには携帯機器を装飾できなかった。また、パンダやクマを模した外観による装飾性を損なうおそれがあるため、収納機能を備えていなかった。
本発明は、このような事情に鑑みてなされたものであり、その目的とするところは、携帯機器の保護ケースを装飾でき、装飾性を維持しつつも収納機能を備える装飾具を提供することにある。
【課題を解決するための手段】
【０００５】
上記目的を達成するための主たる発明は、
携帯機器の保護ケースに取り付けられる装飾具であって、前記装飾具の裏面を形成する第１部材と、前記装飾具の表面を形成する第２部材と、前記第１部材の上に前記第２部材を重ねた状態で、少なくとも、前記第１部材及び前記第２部材の左端部を互いに接合すると共に、前記第１部材及び前記第２部材の右端部を互いに接合し、前記第２部材が前記第１部材と一体になるように固着することによって、前記第１部材と前記第２部材との間に形成される収容部と、前記第１部材及び前記第２部材の上端部を全部又は一部において互いに接合しないこと、及び、前記第１部材及び前記第２部材の下端部を全部又は一部において接合しないこと、の少なくとも一方によって形成される前記収容部の挿入口と、前記第１部材及び前記第２部材の上端部に形成された前記挿入口、及び、前記第１部材及び前記第２部材の下端部に形成された前記挿入口、の少なくとも一方を開状態から閉状態にすることのできる開閉部材と、を備えたことを特徴とする装飾具である。
本発明の他の特徴については、本明細書及び添付図面の記載により明らかにする。
【図面の簡単な説明】
【０００６】
【図１】携帯機器１から保護ケース２を分離させた状態、及び、保護ケース２から装飾具１０を分離させた状態を示す斜視図である。
【図２】図２Ａは、装飾具１０の正面図である。図２Ｂは、装飾具１０の背面図である。
【図３】装飾具１０の製法を説明する図である。
【図４】装飾具１０の収納部１６を説明する図である。
【発明を実施するための形態】
【０００７】
本明細書及び添付図面の記載により、少なくとも、以下の事項が明らかとなる。
即ち、携帯機器の保護ケースに取り付けられる装飾具であって、前記装飾具の裏面を形成する第１部材と、前記装飾具の表面を形成する第２部材と、前記第１部材の上に前記第２部材を重ねた状態で、少なくとも、前記第１部材及び前記第２部材の左端部を互いに接合すると共に、前記第１部材及び前記第２部材の右端部を互いに接合し、前記第２部材が前記第１部材と一体になるように固着することによって、前記第１部材と前記第２部材との間に形成される収容部と、前記第１部材及び前記第２部材の上端部を全部又は一部において互いに接合しないこと、及び、前記第１部材及び前記第２部材の下端部を全部又は一部において接合しないこと、の少なくとも一方によって形成される前記収容部の挿入口と、前記第１部材及び前記第２部材の上端部に形成された前記挿入口、及び、前記第１部材及び前記第２部材の下端部に形成された前記挿入口、の少なくとも一方を開状態から閉状態にすることのできる開閉部材と、を備えたことを特徴とする装飾具である。
このような装飾具によれば、携帯機器の保護ケースを装飾でき、収納機能を備えていても装飾性を維持することができる。
【０００８】
また、前記開閉部材は、表側から裏側へ折り返された前記第２部材の折り返し部を前記第１部材に結合させることにより、前記挿入口を開状態から閉状態にし、又は、裏側から表側へ折り返された前記第１部材の折り返し部を前記第２部材に結合させることにより、前記挿入口を開状態から閉状態にする、こととしてもよい。
このような装飾具によれば、装飾性を維持しつつも、収納機能をより充実させることができる。
【０００９】
＝＝＝実施形態＝＝＝
＜全体構成＞
図１は、携帯機器１から保護ケース２を分離させた状態、及び、保護ケース２から装飾具１０を分離させた状態を示す斜視図である。以下の説明では、図１に示すように各方向を定義する。すなわち、重力方向を「上下方向」とし、重力に従って「上」と「下」を定義する。また、携帯機器１の液晶画面側を「前」とし、その逆側（カメラ１ａ側）を「後」とする。また、上下方向及び前後方向に垂直な方向を「左右方向」とし、装飾具１０を表面側から見たときを基準にして、「右」と「左」を定義する。
【００１０】
携帯機器１は、携帯電話機やスマートフォン等の情報処理端末である。本実施形態における携帯機器１は、前面に液晶画面（不図示）を備えており、背面にはカメラ１ａを備えている。
【００１１】
保護ケース２は、携帯機器１を保護するカバーであって、携帯機器１の背面に取り付けられる。本実施形態における保護ケース２は、携帯機器１の背面に取り付けられた際に、携帯機器１のカメラ１ａを露出させるための貫通孔２ａを有している。そして、保護ケース２の背面には、着脱部材３が粘着テープ等によって取り付けられている。
【００１２】
着脱部材３は、面ファスナー、ボタン、両面式の粘着テープ等であって、着脱可能に（装飾交換できる程度に）装飾具１０を保護ケース２に取り付けるための部材である。本実施形態における着脱部材３は、マジックテープ（登録商標）のような面ファスナーであり、装飾具１０を保護ケース２に対して着脱させることで、他の装飾具に簡単に交換ができる。そして、この着脱部材３は、保護ケース２の貫通孔２ａを避けるように、下側に凹んだ形状（Ｖ字状に切り欠いた形状）の上端部を有している。
【００１３】
装飾具１０は、保護ケース２を直接的に装飾するものであると共に、携帯機器１を間接的に装飾するものである。本実施形態における装飾具１０は、複数枚の布地を重ね合わせて縫合することによって、ＴシャツやＹシャツのような衣服を模した形状をしている。そして、装飾具１０の裏面には、着脱部材１４が取り付けられている。この着脱部材１４は、面ファスナーやボタン等の場合には、保護ケース２の着脱部材３と対をなして設けられる。そして、この装飾具１０は、下側に凹んだ形状（Ｖ字形状）の上端部を有している。
【００１４】
このようにして、装飾具１０、保護ケース２、携帯機器１の順に連結することによって、これらを一体化することができる。装飾具１０は、一体化された場合でも、保護ケース２を介して携帯機器１の背面に取り付けられることになるので、携帯機器１の液晶画面を覆うことがなく、利用者の通話、閲覧、操作を邪魔することはない。また、装飾具１０は、一体化された場合でも、下側に凹んだ形状（Ｖ字形状）の上端部を有しているため、カメラ１ａを遮ることなく携帯機器１を装飾することができる。
【００１５】
＜装飾具１０の構成＞
図２は、装飾具１０の構成を説明する図である。図２Ａは、装飾具１０の表面を示しており、図２Ｂは、装飾具１０の裏面を示している。
【００１６】
本実施形態における装飾具１０は、図２に示すように、Ｔシャツ（衣類）を模した形状をしている。この装飾具１０は、装飾具１０の裏面を形成する第１部材１１と、装飾具１０の表面を形成する第２部材１２と、折り返し部１３と、着脱部材１４と、開閉部材１５と、収納部１６を備えている。
【００１７】
第１部材１１は、布地を素材としており、着脱部材１４の上に重ねられた状態で縫合されている。すなわち、装飾具１０の裏面に、着脱部材１４が接合されることになる。ここで、着脱部材１４については（着脱部材３も同様に）、上下方向の長さを約８５ミリ、左右方向の長さを約６０ミリにすることが望ましい。この大きさにすることで、市販されている各種類の保護ケース２に取り付けることができる。この第１部材１１の上端は、図２Ｂに示すように、下側に凹んだ形状（Ｖ字状に切り欠いた形状）になっている。そして、着脱部材１４の上端も、この形状に合わせて、下側に凹んだ形状（Ｖ字状に切り欠いた形状）になっている。これは、装飾具１０が保護ケース２を介して携帯機器１の背面に取り付けられた際に、携帯機器１のカメラ１ａを露出させるためである。
【００１８】
第２部材１２は、布地を素材としており、この第１部材１１の上に重ねられた状態で縫合されている。すなわち、第２部材１２は、第１部材１１を挟んで着脱部材１４の反対側に、装飾具１０の表面を形成する。
【００１９】
このようにして、着脱部材１４、第１部材１１、第２部材１２の順に重ね合わせて連結することによって、これらを一体化した装飾具１０が形成されることになる。
【００２０】
折り返し部１３は、第２部材１２の下端側に設けられており、装飾具１０の表側から裏側へ折り返されて第１部材１１に結合されることによって、後述する収容部１６の蓋部として機能する。
【００２１】
開閉部材１５は、第２部材１２の下端側に設けられた折り返し部１３を、第１部材１１（装飾具１０の裏面）に結合させるための部材であって、例えば、面ファスナー、ボタン、両面式の粘着テープ等である。
【００２２】
収容部１６は、第１部材１１と第２部材１２との間、つまり、装飾具１０の内部に形成され、小物等を収納するものである。
【００２３】
＜装飾具１０の製法＞
図３は、装飾具１０の製法を説明する図である。図４は、装飾具１０の収納部１６を説明する図である。以下の説明では、図１において定義した各方向と一致させて、図３に示す各方向を定義する。
【００２４】
本実施形態における装飾具１０は、図２及び図３に示すように、第１部材１１の上に第２部材１２を重ねて縫合することによって、Ｔシャツを模した形状に縫製される。
【００２５】
第１部材１１は、装飾具１０の裏面を形成するものであり、本体平面部１１ａと、上端部１１ｂと、下端部１１ｃと、左端部１１ｄと、右端部１１ｅと、右袖部１１ｆと、開閉部材の一例としての面ファスナー１５ａと、を有している。
【００２６】
本実施形態では、第１部材１１の上端部１１ｂは、下側に凹んだ形状、つまり、ここではＶ字状に切り欠いた形状になっている。なお、これに限らずＵ字形状等にしても良い。また、第１部材１１の右袖部１１ｆは、筒状に縫製されており、その一端が自由端となっている。そして、第１部材１１の右袖部１１ｆは、その他端が第１部材１１の右端部１１ｅの上側部位に縫合されることにより、第１部材１１の本体平面部１１ａと一体となるように固着される。面ファスナー１５ａは、第１部材１１の裏面側に縫合されている。なお、右袖部１１ｆは、最初に第１部材１１に縫合せずに、最後に装飾具１０の右側に縫合しても良い。また、右袖部１１ｆを設けなくても良い。
【００２７】
第２部材１２は、装飾具１０の表面を形成するものであり、本体平面部１２ａと、上端部１２ｂと、下端部１２ｃと、左端部１２ｄと、右端部１２ｅと、左袖部１２ｆと、折り返し部１３と、開閉部材の一例としての面ファスナー１５ｂと、を有している。
【００２８】
本実施形態では、第２部材１２の上端部１２ｂは、第１部材１１と同様に、Ｖ字状に切り欠いた形状になっている。また、第２部材１２の左袖部１２ｆは、筒状に縫製されており、その一端が自由端となっている。そして、第２部材１２の左袖部１２ｆは、その他端が第２部材１２の左端部１２ｄの上側部位に縫合されることにより、第２部材１２の本体平面部１２ａと一体となるように固着される。なお、左袖部１２ｆは、最初に第２部材１２に縫合せずに、最後に装飾具１０の左側に縫合しても良い。また、左袖部１２ｆを設けなくても良い。
【００２９】
第２部材１２の本体平面部１２ａの横幅（左右方向の長さ）は、第１部材１１の本体平面部１１ａの横幅よりも若干大きくすることが望ましい。これにより、第１部材１１と第２部材１２とを重ね合わせて縫合した際に、第１部材１１と第２部材１２との間に隙間（収納部）を形成することができる。折り返し部１３は、第２部材１２の下端側を延長させて形成されている。面ファスナー１５ｂは、折り返し部１３の裏面側（第２部材１２の裏面側）に縫合されている。
【００３０】
ここで、装飾具１０の製法について具体的に説明する。先ずは、図２に示すように、第１部材１１の上に第２部材１２を重ね合わせた状態にする。このとき、第１部材１１及び第２部材１２の左右両端位置を互いに合致させる。また、第１部材１１の上端部１１ｂが有するＶ字形状の傾斜と、第２部材１２の上端部１２ｂが有するＶ字形状の傾斜とを合致させる。これにより、装飾具１０の上端部をＶ字の襟ぐりを模した形状にすることができる。
【００３１】
次に、図３に示すように、少なくとも、第１部材１１の右端部１１ｅと第２部材１２の右端部１２ｅとを縫合すると共に、第１部材１１の左端部１１ｄと第２部材１２の左端部１２ｄとを縫合する。このとき、第１部材１１の上端部１１ｂと第２部材１２の上端部１２ｂは縫合しない部位を設けると共に、第１部材１１の下端部１１ｃと第２部材１２の下端部１２ｃも縫合しない部位を設ける。
【００３２】
このようにすることで、第１部材１１と第２部材１２とが一体になるように互いを固着することができ、かつ、第１部材１１及び第２部材１２の上端側（装飾具１０の上端側）、及び、第１部材１１及び第２部材１２の下端側（装飾具１０の下端側）に挿入口を有する収納部１６を、第１部材１１と第２部材１２との間の隙間に形成することができる。
【００３３】
例えば、図４に示すように、第１部材１１と第２部材１２との間に形成された収容部１６には、名刺やカード等の薄型形状の小物Ａを挟み込むことによって収納することができる。また、携帯機器１に用いるインナーイヤー型のイヤホンを束ねた状態にして収容部１６に収納することもできる。この際、小物Ａを装飾具１０の上端側からも下端側からも挿入することができる。これにより、装飾具１０は、収納機能を備えていながらも、Ｔシャツを模した外観による装飾性を維持することが可能となる。
【００３４】
次に、第２部材１２の折り返し部１３を、装飾具１０の表側から裏側へ折り返し、折り返し部１３の裏面側にある面ファスナー１５ｂの位置と、第１部材１１の裏面側にある面ファスナー１５ａの位置とを合致させて結合させる。これにより、第１部材１１及び第２部材１２の下端側に形成された収容部１６の挿入口を開状態から閉状態にすることができる。
【００３５】
以上のとおり、本実施形態に係る装飾具１０によれば、携帯機器１の保護ケース２に装飾具１０を取り付けることによって、保護ケース２を携帯機器１に取り付けたままで、簡単に携帯機器１を装飾することができる。また、携帯機器１を装飾しない状態に戻したい場合にも、保護ケース２を携帯機器１に取り付けたままで、装飾具１０を保護ケース２から簡単に取り外し装飾を除去できる。また、本実施形態に係る装飾具１０は、Ｔシャツ（衣類）を模した形状をしているが、襟ぐりを模した形状の上端側又は下端側から小物Ａを挿入して収納部１６に収納することができる。そのため、装飾性（デザイン性）を損なうことなく、収納機能を発揮することが可能となる。そして、収納部１６の下端側の挿入口は、折り返し部１３を装飾具１０の表側から裏側に折り返すことによって開状態から閉状態にすることができる。これにより、小物Ａを装飾具１０の内部に安定的に収容させることができるので、装飾具１０の収納機能をより充実させることが可能となる。
【００３６】
＝＝＝その他の実施形態＝＝＝
上記の実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。特に、以下に述べる実施形態であっても、本発明に含まれるものである。
【００３７】
上記の実施形態においては、収容部１６について装飾具１０の上端側及び下端側に収容部１６の挿入口を設ける場合を例に挙げて説明したが、本発明はこれに限定されるものではない。例えば、第１部材１１の下端部と第２部材１２の下端部を縫合して（接合して）装飾具１０の上端側のみに挿入口を設けても良いし、また、第１部材１１の上端部と第２部材１２の上端部を縫合して（接合して）装飾具１０の下端側のみに挿入口を設けても良い。
【００３８】
上記の実施形態においては、装飾具１０の上端側及び下端側に収容部１６の挿入口を設け、下端側の挿入口のみが開閉できる場合を例に挙げて説明したが、本発明はこれに限定されるものではない。例えば、上端側及び下端側の挿入口が双方とも開閉できる構成でも良い。また、第１部材１１の下端部と第２部材１２の下端部を縫合して（接合して）装飾具１０の上端側のみに挿入口を設けた場合に、上端側の挿入口のみが開閉できる構成でも良い。また、第１部材１１の上端部と第２部材１２の上端部を縫合して（接合して）装飾具１０の下端側のみに挿入口を設けた場合に、下端側の挿入口のみが開閉できる構成でも良い。
【００３９】
上記の実施形態においては、第１部材１１の上端部と第２部材１２の上端部を全部において互いに縫合しないこと、及び、第１部材１１の下端部と第２部材１２の下端部を全部において互いに縫合しないことによって、装飾具１０の上端側及び下端側に収容部１６の挿入口を設ける場合を例に挙げて説明したが、本発明はこれに限定されるものではない。例えば、かかる挿入口を形成する際に、第１部材１１の上端部と第２部材１２の上端部を一部において互いに縫合しないようにしても良いし、また、第１部材１１の下端部と第２部材１２の下端部を一部において互いに縫合しないようにしても良い。具体的には、第１部材１１及び第２部材１２の上端部において、Ｔシャツの襟ぐり部分だけを収容部１６の挿入口にしても良い。
【００４０】
上記の実施形態においては、第２部材１２の下端側にある折り返し部１３を、装飾具１０の表側から裏側へ折り返し、第１部材１１の裏面側に結合することによって、収容部１６の挿入口を開閉自在にする場合を例に挙げて説明したが、本発明はこれに限定されるものではない。例えば、第２部材１２の上端側を延長させて折り返し部を形成し、装飾具１０の上端側にある挿入口を開閉自在にしても良い。また、第１部材１１の下端側を延長させて折り返し部を形成しても良く、この場合、装飾具１０の下端側にある挿入口は、装飾具１０の裏側から表側に折り返し部を折り返すことによって開状態から閉状態にすることができる。また、第１部材１１の上端側を延長させて形成しても良い。
【００４１】
上記の実施形態においては、開閉部材の一例としての面ファスナー１５ｂを折り返し部１３に設けると共に、開閉部材の一例としての面ファスナー１５ａを第１部材１１の裏面側に設ける場合を例に挙げて説明したが、本発明はこれに限定されるものではない。例えば、折り返し部１３を形成せずに、第１部材１１及び第２部材１２の下端部内側それぞれに、開閉部材の一例としての面ファスナー１５ａ、１５ｂを設けても良い。なお、この場合における開閉部材１５は、面ファスナーに限られるものではない。
【００４２】
上記の実施形態においては、着脱部材１４が面ファスナーである場合を例に挙げて説明したが、本発明はこれに限定されるものではない。例えば、着脱部材１４が両面式の粘着テープである場合には、着脱部材１４及び着脱部材３（保護ケース２側）のいずれか一方を省略できる。なお、本発明では、両面式の粘着テープである場合であっても、着脱可能の範囲内にあるものとする。
【００４３】
上記の実施形態においては、第１部材１１において、本体平面部１１ａと左右両袖部分が同一平面上で一枚からなるようにし、かつ、第２部材１２において、本体平面部１２ａと左右両袖部分が同一平面上で一枚からなるようにしても良い。この場合には、少なくとも、第１部材１１及び第２部材１２の左端部１１ｄ、１２ｄを互いに接合すると共に、第１部材１１及び第２部材１２の右端部１１ｅ、１２ｅを互いに接合し、第１部材１１と第２部材とが一体になるように固着する。具体的には、第１部材１１及び第２部材１２の右端部１１ｅ、１２ｅ及び左端部１１ｄ、１２ｄに加えて、上端部１１ｂ、１２ｂの全部又は一部（例えば、襟ぐり部分を除いた両肩部分）を縫合しても良いし（又は、上端部１１ｂ、１２ｂの全部又は一部を縫合しなくても良い）、筒状になるように左右両袖部分の上下端を縫合（接合）しても良い（縫合しなくても良い）。
【００４４】
上記の実施形態においては、第１部材１１、第２部材１２、着脱部材１４を縫合することによって形成したり、それらを一体化するように縫合することによって装飾具１０を形成したりする場合を例に挙げて説明したが、これに限定されるものではない。例えば、接着剤等を用いて貼り合わせることによって、第１部材１１、第２部材１２、着脱部材１４を接合しても良い。また、接着剤等を用いて、それらを一体化するように接合することによって装飾具１０を形成しても良い。
【００４５】
上記の実施形態においては、第１部材１１、第２部材１２、布地を素材として形成される場合を例に挙げて説明したが、これに限定されるものではない。例えば、紙や樹脂製シート等を素材としても良い。
【符号の説明】
【００４６】
１  携帯機器、１ａ  カメラ、２  保護ケース、２ａ  貫通孔、３  着脱部材、１０  装飾具、１１  第１部材、１１ａ  本体平面部、１１ｂ  上端部、１１ｃ  下端部、１１ｄ  左端部、１１ｅ  右端部、１１ｆ  右袖部、１２  第２部材、１２ａ  本体平面部、１２ｂ  上端部、１２ｃ  下端部、１２ｄ  左端部、１２ｅ  右端部、１２ｆ  左袖部、１３  折り返し部、１４  着脱部材、１５  開閉部材、１５ａ  面ファスナー、１５ｂ  面ファスナー、１６  収容部
【図１】
2015139677.tif 000003
【図２】
2015139677.tif 000004
【図３】
2015139677.tif 000005
【図４】
2015139677.tif 000006
【手続補正書】
【提出日】平成26年8月22日(2014.8.22)
【手続補正１】
【補正対象書類名】特許請求の範囲
【補正対象項目名】請求項２
【補正方法】変更
【補正の内容】
【請求項２】
請求項１に記載の装飾具であって、
前記開閉部材は、
前記第２部材の折り返し部を表側から裏側へ折り返すことにより、前記挿入口を開状態から閉状態にし、又は、
前記第１部材の折り返し部を裏側から表側へ折り返すことにより、前記挿入口を開状態から閉状態にする、
ことを特徴とする装飾具。
【手続補正書】
【提出日】平成26年12月15日(2014.12.15)
【手続補正１】
【補正対象書類名】特許請求の範囲
【補正対象項目名】全文
【補正方法】変更
【補正の内容】
【特許請求の範囲】
【請求項１】
携帯機器の保護ケースに取り付けられる装飾具であって、
前記装飾具の裏面を形成する第１部材と、
前記装飾具の表面を形成する第２部材と、
前記第１部材の上に前記第２部材を重ねた状態で、少なくとも、前記第１部材及び前記第２部材の左端部を互いに接合すると共に、前記第１部材及び前記第２部材の右端部を互いに接合し、前記第２部材が前記第１部材と一体になるように固着することによって、前記第１部材と前記第２部材との間に形成される、小物等を収容するための収容部と、
前記第１部材及び前記第２部材の上端部を全部又は一部において互いに接合しないこと、及び、前記第１部材及び前記第２部材の下端部を全部又は一部において接合しないこと、の少なくとも一方によって形成される前記収容部の挿入口と、
前記第１部材及び前記第２部材の上端部に形成された前記挿入口、及び、前記第１部材及び前記第２部材の下端部に形成された前記挿入口、の少なくとも一方を開状態から閉状態にすることのできる開閉部材と、
を備えたことを特徴とする装飾具。
【請求項２】
請求項１に記載の装飾具であって、
前記開閉部材は、
表側から裏側へ折り返された前記第２部材の折り返し部を前記第１部材に結合させることにより、前記挿入口を開状態から閉状態にし、又は、
裏側から表側へ折り返された前記第１部材の折り返し部を前記第２部材に結合させることにより、前記挿入口を開状態から閉状態にする、
ことを特徴とする装飾具。
【手続補正２】
【補正対象書類名】明細書
【補正対象項目名】０００５
【補正方法】変更
【補正の内容】
【０００５】
上記目的を達成するための主たる発明は、
携帯機器の保護ケースに取り付けられる装飾具であって、
前記装飾具の裏面を形成する第１部材と、
前記装飾具の表面を形成する第２部材と、
前記第１部材の上に前記第２部材を重ねた状態で、少なくとも、前記第１部材及び前記第２部材の左端部を互いに接合すると共に、前記第１部材及び前記第２部材の右端部を互いに接合し、前記第２部材が前記第１部材と一体になるように固着することによって、前記第１部材と前記第２部材との間に形成される、小物等を収容するための収容部と、
前記第１部材及び前記第２部材の上端部を全部又は一部において互いに接合しないこと、及び、前記第１部材及び前記第２部材の下端部を全部又は一部において接合しないこと、の少なくとも一方によって形成される前記収容部の挿入口と、
前記第１部材及び前記第２部材の上端部に形成された前記挿入口、及び、前記第１部材及び前記第２部材の下端部に形成された前記挿入口、の少なくとも一方を開状態から閉状態にすることのできる開閉部材と、
を備えたことを特徴とする装飾具である。
本発明の他の特徴については、本明細書及び添付図面の記載により明らかにする。